【手続補正書】
【提出日】平成17年8月9日(2005.8.9)
【手続補正１】
【補正対象書類名】明細書
【補正対象項目名】発明の名称
【補正方法】変更
【補正の内容】
【発明の名称】表示パネルの駆動方法、表示装置及びモニタ
【手続補正２】
【補正対象書類名】明細書
【補正対象項目名】特許請求の範囲
【補正方法】変更
【補正の内容】
【特許請求の範囲】
【請求項１】
デジタル映像データを参照アドレスとして、前記デジタル映像データに対応してガンマ補正の結果であるデジタル補正データが予め記憶されたルックアップテーブルから対応する前記デジタル補正データを読み出す第１のステップと、
前記デジタル補正データをパルス幅に変換したパルス幅変調出力データを生成する第２のステップと、
前記パルス幅変調出力データに基づいて選択したハイレベル又はローレベルの電圧を表示パネルのデータ電極に印加する第３のステップと
を有することを特徴とする表示パネルの駆動方法。
【請求項２】
複数種類の前記ルックアップテーブルが設けられ、前記第１のステップでは、前記表示パネルに応じて前記複数種類の前記ルックアップテーブルが切り換えて使用されることを特徴とする請求項１記載の表示パネルの駆動方法。
【請求項３】
表示の色調に応じた複数種類の前記ルックアップテーブルが設けられ、前記第１のステップでは、表示内容に応じて前記表示の色調に応じた複数種類の前記ルックアップテーブルが切り換えて使用されることを特徴とする請求項１又は２記載の表示パネルの駆動方法。
【請求項４】
前記表示パネルがカラー表示パネルである場合には、前記デジタル映像データの赤データ、緑データ、青データに対して、前記カラー表示パネルの印加電圧に対する赤、緑、青の透過率の特性に適合するように補正する前記ガンマ補正をそれぞれ独立に施すために、少なくとも３種類の前記ルックアップテーブルが設けられ、前記第１のステップでは、前記デジタル映像データの赤データ、緑データ、青データに応じて前記少なくとも３種類の前記ルックアップテーブルが切り換えて使用されることを特徴とする請求項１乃至３のいずれか１に記載の表示パネルの駆動方法。
【請求項５】
前記第２のステップでは、前記パルス幅変調のためのサンプリング周波数は、前記デジタル映像データの水平同期周波数の１０倍以上１００倍以下の周波数であることを特徴とする請求項１乃至４のいずれか１に記載の表示パネルの駆動方法。
【請求項６】
前記第３のステップでは、前記データ電極から画素までの回路系が低域通過フィルタとして機能することを特徴とする請求項１乃至５のいずれか１に記載の表示パネルの駆動方法。
【請求項７】
表示パネルと、
デジタル映像データに対応してガンマ補正の結果であるデジタル補正データが予め記憶されたルックアップテーブルと、外部から供給されるデジタル映像データを参照アドレスとして、前記ルックアップテーブルから対応する前記デジタル補正データを読み出すガンマ変換部とを有するガンマ変換回路と、
前記デジタル補正データをパルス幅に変換したパルス幅変調出力データを生成するパルス幅変調回路と、
前記パルス幅変調出力データに基づいて選択したハイレベル又はローレベルの電圧を前記表示パネルのデータ電極に印加する出力回路と
を備えてなることを特徴とする表示装置。
【請求項８】
複数種類の前記ルックアップテーブルが設けられ、前記ガンマ変換部は、前記表示パネルに応じて前記複数種類の前記ルックアップテーブルを切り換えて使用することを特徴とする請求項７記載の表示装置。
【請求項９】
表示の色調に応じた複数種類の前記ルックアップテーブルが設けられ、前記ガンマ変換部は、表示内容に応じて前記表示の色調に応じた複数種類の前記ルックアップテーブルを切り換えて使用することを特徴とする請求項７又は８記載の表示装置。
【請求項１０】
前記表示パネルはカラー表示パネルであり、前記デジタル映像データの赤データ、緑データ、青データに対して、前記カラー表示パネルの印加電圧に対する赤、緑、青の透過率の特性に適合するように補正する前記ガンマ補正をそれぞれ独立に施すために、少なくとも３種類の前記ルックアップテーブルが設けられ、前記ガンマ変換部は、前記デジタル映像データの赤データ、緑データ、青データに応じて前記少なくとも３種類の前記ルックアップテーブルを切り換えて使用することを特徴とする請求項７乃至９のいずれか１に記載の表示装置。
【請求項１１】
前記パルス幅変調のためのサンプリング周波数は、前記デジタル映像データの水平同期周波数の１０倍以上１００倍以下の周波数であることを特徴とする請求項７乃至１０のいずれか１に記載の表示装置。
【請求項１２】
前記データ電極から画素までの回路系が低域通過フィルタとして機能することを特徴とする請求項７乃至１１のいずれか１に記載の表示装置。
【請求項１３】
請求項７乃至１２のいずれか１に記載の表示装置を備えてなることを特徴とするモニタ。
【手続補正３】
【補正対象書類名】明細書
【補正対象項目名】０００１
【補正方法】変更
【補正の内容】
【０００１】
【発明の属する技術分野】
この発明は、パーソナルコンピュータやテレビ受像機等のモニタとして用いられる表示パネルを駆動する表示パネルの駆動方法、表示装置及びモニタに関する。この発明は、詳しくは、表示パネルに文字や画像等を段階的に濃淡を付けて階調表示する表示パネルの駆動方法、このような表示パネルの駆動方法が適用された表示装置及びこの表示装置を備えたモニタに関する。
【手続補正４】
【補正対象書類名】明細書
【補正対象項目名】００２０
【補正方法】変更
【補正の内容】
【００２０】
この発明は、上述の事情に鑑みてなされたもので、簡単かつ安価に構成できるとともに消費電力を削減でき、またノイズ等により誤動作することなく、高品質の表示をすることができる表示パネルの駆動方法、表示装置及びモニタを提供することを目的としている。
【手続補正５】
【補正対象書類名】明細書
【補正対象項目名】００２１
【補正方法】変更
【補正の内容】
【００２１】
【課題を解決するための手段】
上記課題を解決するために、請求項１記載の発明に係る表示パネルの駆動方法は、デジタル映像データを参照アドレスとして、上記デジタル映像データに対応してガンマ補正の結果であるデジタル補正データが予め記憶されたルックアップテーブルから対応する上記デジタル補正データを読み出す第１のステップと、上記デジタル補正データをパルス幅に変換したパルス幅変調出力データを生成する第２のステップと、上記パルス幅変調出力データに基づいて選択したハイレベル又はローレベルの電圧を表示パネルのデータ電極に印加する第３のステップとを有することを特徴としている。
【手続補正６】
【補正対象書類名】明細書
【補正対象項目名】００２２
【補正方法】変更
【補正の内容】
【００２２】
また、請求項２記載の発明は、請求項１記載の表示パネルの駆動方法に係り、複数種類の上記ルックアップテーブルが設けられ、上記第１のステップでは、上記表示パネルに応じて前記複数種類の前記ルックアップテーブルが切り換えて使用されることを特徴としている。
【手続補正７】
【補正対象書類名】明細書
【補正対象項目名】００２３
【補正方法】変更
【補正の内容】
【００２３】
また、請求項３記載の発明は、請求項１又は２記載の表示パネルの駆動方法に係り、表示の色調に応じた複数種類の上記ルックアップテーブルが設けられ、上記第１のステップでは、表示内容に応じて前記表示の色調に応じた複数種類の前記ルックアップテーブルが切り換えて使用されることを特徴としている。
【手続補正８】
【補正対象書類名】明細書
【補正対象項目名】００２４
【補正方法】変更
【補正の内容】
【００２４】
また、請求項４記載の発明は、請求項１乃至３のいずれか１に記載の表示パネルの駆動方法に係り、上記表示パネルがカラー表示パネルである場合には、上記デジタル映像データの赤データ、緑データ、青データに対して、上記カラー表示パネルの印加電圧に対する赤、緑、青の透過率の特性に適合するように補正する上記ガンマ補正をそれぞれ独立に施すために、少なくとも３種類の上記ルックアップテーブルが設けられ、上記第１のステップでは、上記デジタル映像データの赤データ、緑データ、青データに応じて上記少なくとも３種類の上記ルックアップテーブルが切り換えて使用されることを特徴としている。
【手続補正９】
【補正対象書類名】明細書
【補正対象項目名】００２５
【補正方法】変更
【補正の内容】
【００２５】
また、請求項５記載の発明は、請求項１乃至４のいずれか１に記載の表示パネルの駆動方法に係り、上記第２のステップでは、上記パルス幅変調のためのサンプリング周波数は、上記デジタル映像データの水平同期周波数の１０倍以上１００倍以下の周波数であることを特徴としている。
【手続補正１０】
【補正対象書類名】明細書
【補正対象項目名】００２６
【補正方法】変更
【補正の内容】
【００２６】
また、請求項６記載の発明は、請求項１乃至５のいずれか１に記載の表示パネルの駆動方法に係り、上記第３のステップでは、上記データ電極から画素までの回路系が低域通過フィルタとして機能することを特徴としている。
【手続補正１１】
【補正対象書類名】明細書
【補正対象項目名】００２７
【補正方法】変更
【補正の内容】
【００２７】
また、請求項７記載の発明に係る表示装置は、表示パネルと、デジタル映像データに対応してガンマ補正の結果であるデジタル補正データが予め記憶されたルックアップテーブルと、外部から供給されるデジタル映像データを参照アドレスとして、上記ルックアップテーブルから対応する上記デジタル補正データを読み出すガンマ変換部とを有するガンマ変換回路と、上記デジタル補正データをパルス幅に変換したパルス幅変調出力データを生成するパルス幅変調回路と、上記パルス幅変調出力データに基づいて選択したハイレベル又はローレベルの電圧を上記表示パネルのデータ電極に印加する出力回路とを備えてなることを特徴としている。
【手続補正１２】
【補正対象書類名】明細書
【補正対象項目名】００２８
【補正方法】変更
【補正の内容】
【００２８】
また、請求項８記載の発明は、請求項７記載の表示装置に係り、複数種類の上記ルックアップテーブルが設けられ、上記ガンマ変換部は、上記表示パネルに応じて複数種類の上記ルックアップテーブルを切り換えて使用することを特徴としている。
【手続補正１３】
【補正対象書類名】明細書
【補正対象項目名】００２９
【補正方法】変更
【補正の内容】
【００２９】
また、請求項９記載の発明は、請求項７又は８記載の表示装置に係り、表示の色調に応じた複数種類の上記ルックアップテーブルが設けられ、上記ガンマ変換部は、表示内容に応じて上記表示の色調に応じた複数種類の上記ルックアップテーブルを切り換えて使用することを特徴としている。
【手続補正１４】
【補正対象書類名】明細書
【補正対象項目名】００３０
【補正方法】変更
【補正の内容】
【００３０】
また、請求項１０記載の発明は、請求項７乃至９のいずれか１に記載の表示装置に係り、上記表示パネルはカラー表示パネルであり、上記デジタル映像データの赤データ、緑データ、青データに対して、上記カラー表示パネルの印加電圧に対する赤、緑、青の透過率の特性に適合するように補正する上記ガンマ補正をそれぞれ独立に施すために、少なくとも３種類の上記ルックアップテーブルが設けられ、上記ガンマ変換部は、上記デジタル映像データの赤データ、緑データ、青データに応じて上記少なくとも３種類の上記ルックアップテーブルを切り換えて使用することを特徴としている。
【手続補正１５】
【補正対象書類名】明細書
【補正対象項目名】００３１
【補正方法】変更
【補正の内容】
【００３１】
また、請求項１１記載の発明は、請求項７乃至１０のいずれか１に記載の表示装置に係り、上記パルス幅変調のためのサンプリング周波数は、上記デジタル映像データの水平同期周波数の１０倍以上１００倍以下の周波数であることを特徴としている。
【手続補正１６】
【補正対象書類名】明細書
【補正対象項目名】００３２
【補正方法】変更
【補正の内容】
【００３２】
また、請求項１２記載の発明は、請求項７乃至１１のいずれか１に記載の表示装置に係り、上記データ電極から画素までの回路系が低域通過フィルタとして機能することを特徴としている。
【手続補正１７】
【補正対象書類名】明細書
【補正対象項目名】００３３
【補正方法】変更
【補正の内容】
【００３３】
また、請求項１３記載の発明に係るモニタは、請求項７乃至１２のいずれか１に記載の表示装置を備えてなることを特徴としている。
【手続補正１８】
【補正対象書類名】明細書
【補正対象項目名】００４９
【補正方法】変更
【補正の内容】
【００４９】
【発明の効果】
以上説明したように、この発明の構成によれば、デジタル映像データを参照アドレスとして、デジタル映像データに対応してガンマ補正の結果であるデジタル補正データが予め記憶されたルックアップテーブルから対応するデジタル補正データを読み出す第１のステップと、デジタル補正データをパルス幅に変換したパルス幅変調出力データを生成する第２のステップと、パルス幅変調出力データに基づいて選択したハイレベル又はローレベルの電圧を表示パネルのデータ電極に印加する第３のステップとを有するので、簡単かつ安価に構成できるとともに、消費電力を削減でき、またノイズ等により誤動作することなく、高品質の表示をすることができる。
また、この発明の別の構成によれば、複数種類のルックアップテーブルが設けられ、第１のステップでは、表示パネルに応じて複数種類のルックアップテーブルが切り換えて使用されるので、ガンマ変換特性が異なる表示パネルごとにソースドライバやこのソースドライバを含む信号処理基板を開発する必要がなくなるため、汎用性を図ることができ、ひいてはコストを削減することができる。
また、この発明の別の構成によれば、表示の色調に応じた複数種類のルックアップテーブルが設けられ、第１のステップでは、表示内容に応じて表示の色調に応じた複数種類のルックアップテーブルが切り換えて使用されるので、表示内容によって色調をダイナミックに切り換えることができる。
また、この発明の別の構成によれば、表示パネルがカラー表示パネルである場合には、デジタル映像データの赤データ、緑データ、青データに対して、カラー表示パネルの印加電圧に対する赤、緑、青の透過率の特性に適合するように補正するガンマ補正をそれぞれ独立に施すために、少なくとも３種類のルックアップテーブルが設けられ、第１のステップでは、デジタル映像データの赤データ、緑データ、青データに応じて少なくとも３種類のルックアップテーブルが切り換えて使用されるので、カラー表示パネルの特性に充分に適合した最適なガンマ補正を行うことができる。これにより、最近高まっている高画質の要請に充分に応えることができる。また、赤、緑、青の最高輝度が大きく異なる高透過率の特性を有するカラー表示パネルであっても、充分に使いこなすことができる。さらに、赤、緑、青のいずれか特定の色において階調つぶれが発生した場合でも、その特定の色についてだけガンマ補正のための電圧を変更することができるので、その特定の色の階調つぶれを取り除くことができる。